(57)【要約】【課題】梁の側面が柱の側面よりも外側に配置された架構における柱と梁との接続強度を向上させる。【解決手段】両端部に機械式定着部材５２が設けられた接続鉄筋５０のダウエル効果によって、柱２０と梁３０との接続界面３７に作用するせん断力に抵抗する。また、複数の接続鉄筋５０が拘束筋６０で拘束されることで効果的に発生する偶力によって、梁曲げモーメントに抵抗する。よって、柱２０と梁３０との接続強度が向上する。【選択図】図５
2018105123.tif 000002
【特許請求の範囲】
【請求項１】
架構を構成する柱と、
前記架構を構成し、前記柱の側面よりも側面が外側になるように前記柱に接続された梁と、
前記梁の前記側面の接続界面を通るように前記柱と前記梁とに跨って設けられた接続部材と、
前記接続部材の両端部に設けられ、前記柱と前記梁とを支圧する支圧部材と、
複数の前記接続部材のせん断方向の移動を拘束する拘束部材と、
を備え、
前記柱には、鉛直方向に沿って配筋された複数の柱主筋が埋設され、
前記梁には、長手方向に沿って配筋された複数の梁主筋が埋設され、
前記梁の側面が前記柱内に位置することで、前記接続界面が前記柱内に形成され、
前記柱主筋又は前記梁主筋は、前記梁と前記柱とが重なった部分を通って埋設されている、
柱梁の接続構造。
【請求項２】
前記梁には、複数の梁主筋の周囲に長手方向に間隔をあけて配筋された複数のあばら筋が埋設され、
前記柱主筋、前記梁主筋及び前記あばら筋は、前記梁と前記柱とが重なった部分を通って埋設されている、
請求項１に記載の柱梁の接続構造。
【請求項３】
複数の前記接続部材が前記拘束部材で拘束された接続部材群を複数有し、
前記接続部材群は、前記接続界面に矩形状に少なくとも四つ配置されている、
請求項１又は請求項２に記載の柱梁の接続構造。
【請求項４】
前記柱は、前記接続部材が挿通する複数の柱側挿通孔が形成されたプレキャストコンクリート製とされ、
前記梁は、前記接続部材が挿通する複数の梁側挿通孔が形成されたプレキャストコンクリート製とされ、
前記接続部材の両端部は、前記柱及び前記梁に埋設又は外面に設けられた前記支圧部材に締結されている、
請求項１〜請求項３のいずれか１項に記載の柱梁の接続構造。
【発明の詳細な説明】
【技術分野】
【０００１】
本発明は、柱梁の接続構造に関する。
【背景技術】
【０００２】
梁の側面が柱の側面よりも外側に配置された架構（梁断面と柱断面とが部分的に接合した架構や梁側面と柱側面とが接合した架構等）が意匠設計の観点から望まれている。
【０００３】
そして、このような意匠設計上の要望から、特許文献１には、梁の１つの側面が柱の１つの側面よりも突出しているとともに、少なくとも梁主筋の１本は柱主筋の内側に配され、かつ、少なくとも梁主筋の他の１本は柱主筋の外側に配された扁平断面を有する壁柱と梁を含む架構が開示されている（特許文献１を参照）。
【０００４】
また、特許文献２には、柱梁の接合部において、柱の１つの側面が梁の１つの側面よりも突出しているとともに、柱主筋および梁主筋と直交する方向に柱と梁の接合面を交差する接合補強筋を有する柱梁架構が開示されている（特許文献２を参照）。
【０００５】
しかし、梁の側面が柱の側面よりも外側に配置された架構では、柱と梁との接続強度を確保することが難しく、この点において改善の余地があった。
【先行技術文献】
【特許文献】
【０００６】
【特許文献１】特開２０１１−５８３１１号公報
【特許文献２】特開２０１２−２６１０２号公報
【発明の概要】
【発明が解決しようとする課題】
【０００７】
本発明は、梁の側面が柱の側面よりも外側に配置された架構における柱と梁との接続強度を向上させることが課題である。
【課題を解決するための手段】
【０００８】
請求項１の発明は、架構を構成する柱と、前記架構を構成し、前記柱の側面よりも側面が外側になるように前記柱に接続された梁と、前記梁の前記側面の接続界面を通るように前記柱と前記梁とに跨って設けられた接続部材と、前記接続部材の両端部に設けられ、前記柱と前記梁とを支圧する支圧部材と、複数の前記接続部材のせん断方向の移動を拘束する拘束部材と、を備え、前記柱には、鉛直方向に沿って配筋された複数の柱主筋が埋設され、前記梁には、長手方向に沿って配筋された複数の梁主筋が埋設され、前記梁の側面が前記柱内に位置することで、前記接続界面が前記柱内に形成され、前記柱主筋又は前記梁主筋は、前記梁と前記柱とが重なった部分を通って埋設されている。
【０００９】
請求項１に記載の発明では、両端部に支圧部材が設けられた接続部材のダウエル効果によって梁の接続界面に作用するせん断力に抵抗する。また、複数の接続部材が拘束部材でせん断方向の移動を拘束されることで、接続部材のダウエル効果によるせん断伝達が効果的に行われると共に偶力が発生し、梁曲げモーメントに抵抗する。したがって、梁の側面が柱の側面よりも外側に配置された架構における柱と梁との接続強度が向上する。
【００１０】
請求項２の発明は、前記梁には、複数の梁主筋の周囲に長手方向に間隔をあけて配筋された複数のあばら筋が埋設され、前記柱主筋、前記梁主筋及び前記あばら筋は、前記梁と前記柱とが重なった部分を通って埋設されている。
【００１１】
請求項３の発明は、複数の前記接続部材が前記拘束部材で拘束された接続部材群を複数有し、前記接続部材群は、前記接続界面に矩形状に少なくとも四つ配置されている。
【００１２】
請求項３に記載の発明では、接続界面に矩形状に少なくとも四つ接続部材群が配置されることで、接続部材群で発揮されるせん断力の組によって、効果的に偶力が発生し、梁曲げモーメントに対する抵抗力が更に向上する。したがって、梁の側面が柱の側面よりも外側に配置された架構における柱と梁との接続強度が更に向上する。
【００１３】
請求項４の発明は、前記柱は、前記接続部材が挿通する複数の柱側挿通孔が形成されたプレキャストコンクリート製とされ、前記梁は、前記接続部材が挿通する複数の梁側挿通孔が形成されたプレキャストコンクリート製とされ、前記接続部材の両端部は、前記柱及び前記梁に埋設又は外面に設けられた前記支圧部材に締結されている。
【００１４】
請求項４に記載の発明では、柱及び梁がプレキャストコンクリート製であるので、柱と梁との接続が容易である。
【発明の効果】
【００１５】
本発明によれば、梁の側面が柱の側面よりも外側に配置された架構における柱と梁との接続強度を向上させることができる。
【図面の簡単な説明】
【００１６】
【図１】本発明の第一実施形態に係る梁の側面が柱の側面よりも外側に配置された架構を示す斜視図である。
【図２】（Ａ）は図１の架構の水平断面図であり、（Ｂ）は図１の架構のＸ方向に沿った垂直断面図であり。（Ｃ）は図１の架構のＹ方向に沿った垂直断面図である。
【図３】図２（Ｂ）の接続鉄筋と拘束筋などの主要な部材のみを図示した図である。
【図４】第一実施形態の第一変形例を示す（Ａ）はＸ方向から見た側面図であり、（Ｂ）はＹ方向の柱側から見た背面図であり、（Ｃ）はＹ方向の梁側から見た正面図である。
【図５】第一実施形態の第二変形例を示す図２（Ａ）に対応する水平断面図である。
【図６】（Ａ）は第二実施形態の架構における柱と梁とが接続される前の状態を示すＹ方向に沿った垂直断面図（分解垂直断面図）であり、（Ｂ）は接続後のＹ方向に沿った垂直断面図である。
【図７】（Ａ）は第三実施形態の架構における柱と梁とにおける接続鉄筋が締結される前の状態を含むＹ方向に沿った垂直断面図であり、（Ｂ）は他の梁の例におけるＹ方向に沿った垂直断面図である。
【図８】（Ａ）は第四実施形態の架構における柱と梁とＹ方向に沿った垂直断面図であり、（Ｂ）は接続鋼線を示す図であり、（Ｃ）はＹ方向から見た正面図である。
【図９】（Ａ）は第五実施形態の架構における柱と梁とが接続される前の状態を示すＹ方向に沿った垂直断面図（分解垂直断面図）であり、（Ｂ）は接続後のＹ方向に沿った垂直断面図である。
【図１０】（Ａ）は第二実施形態の第一変形例の架構における柱と梁とが接続される前の状態を示すＹ方向に沿った垂直断面図（分解垂直断面図）であり、（Ｂ）は接続後のＹ方向に沿った垂直断面図である。
【図１１】（Ａ）は第二実施形態においてカプラーの先端部が突出した例を示す図６（Ｂ）に対応するＹ方向に沿った垂直断面図であり、（Ｂ）は第二実施形態においてカプラーの円盤側が梁側に向いた例を示す図６（Ｂ）に対応するＹ方向に沿った垂直断面図である。
【図１２】（Ａ）は第二実施形態の第二変形例の架構における柱と梁とが接続される前の状態を示すＹ方向に沿った垂直断面図（分解垂直断面図）であり、（Ｂ）は接続後のＹ方向に沿った垂直断面図である。
【図１３】第一実施形態の梁が第一梁と第二梁で構成されている第三変形例の架構を示す斜視図である。
【図１４】図１３の架構のＸ方向に沿った垂直断面図である。
【発明を実施するための形態】
【００１７】
＜第一実施形態＞
まず、本発明の第一実施形態に係る柱梁の接続構造が適用されて柱と梁とが接続された柱梁架構について説明する。なお、鉛直方向を矢印Ｚで示し、後述する梁の長手方向を矢印Ｘで示し、Ｚ方向及びＸ方向に直交する方向（柱と梁とに直交する方向）を矢印Ｙで示す。なお、図２の各図や図３は断面図であるが、見やすくするために断面を表す斜線などを省略して図示している。
【００１８】
（構造）
図１及び図２に示すように、架構１０は、鉄筋コンクリート造の柱２０と鉄筋コンクリート造の梁３０とが接続されることで構成されている。なお、本実施形態では、柱２０及び梁３０は、Ｙ方向に扁平した扁平柱及び扁平梁である。
【００１９】
柱２０の外周面２２は、側面２２Ａ、側面２２Ｂ、側面２２Ｃ，側面２２Ｄで構成さている。また、梁３０の外周面３２は、側面３２Ａ、上面３２Ｂ、側面３２Ｃ、下面３２Ｄで構成されている。そして、本実施形態では、柱２０の外周面２２を構成する梁側の側面２２Ａと、梁３０の外周面３２を構成する柱側の側面３２Ａと、が接続されている。
【００２０】
図２に示すように、鉄筋コンクリート造の柱２０には、鉛直方向（Ｚ方向）に沿って配筋された複数の柱主筋４０と、複数の柱主筋４０の周囲に鉛直方向（Ｚ方向）に間隔をあけて配筋された複数のせん断補強筋（帯筋）４２と、が埋設されている。
【００２１】
また、鉄筋コンクリート造の梁３０には、長手方向（Ｘ方向）に沿って配筋された複数の梁主筋４４と、複数の梁主筋４４の周囲に長手方向（Ｘ方向）に間隔をあけて配筋され複数のせん断補強筋（あばら筋）４６と、が埋設されている。
【００２２】
図２（Ａ）及び図２（Ｂ）に示すように、梁３０における柱２０との接合部位の近傍に配筋されたせん断補強筋４６は、二本掛けとなっている（隣接して二本配筋されている）。
【００２３】
本実施形態では、前述したように梁３０の側面３２Ａと柱２０の側面２２Ａとが接続されている。言い換えると、梁３０の外周面３２を構成するＹ方向の一方側の側面３２Ａが、柱２０の外周面２２を構成するＹ方向の一方側の側面２２Ｃよりも外側（Ｙ方向の他方側）に配置されている。或いは、柱２０の外周面２２を構成するＹ方向の一方側の側面２２Ｃが梁３０の外周面３２を構成するＹ方向の一方側の側面３２ＡよりもＹ方向の一方側に突出している。
【００２４】
なお、正面視（Ｙ方向から見た場合）において、梁３０の側面３２Ａにおける柱２０の側面２２Ａに重なった部分が、梁３０の側面２２Ａの接続界面３７（図２（Ａ）及び図２（Ｃ）を参照）である。
【００２５】
図２及び図３に示すように、接続界面３７を通るように柱２０と梁３０とに跨って複数の接続鉄筋５０が埋設されている。各接続鉄筋５０は、Ｙ方向に沿って配筋されている。また、各接続鉄筋５０の両端部には、接続鉄筋５０よりも直径が大きい円盤５４（図３参照）を有する機械式定着部材５２が設けられている。
【００２６】
なお、本実施形態では、全部で２４本の接続鉄筋５０が、図２に示すように、柱主筋４０、せん断補強筋４２、梁主筋４４、及びせん断補強筋４６と干渉しないように配筋されている。
【００２７】
図２及び図３に示すように、複数（本実施形態では２４本）の接続鉄筋５０は、複数本毎（本実施形態では６本毎）に周囲を拘束筋６０で囲まれ拘束されている。なお、図２（Ａ）及び図２（Ｃ）に示すように、拘束筋６０は、接続界面３７を境に柱２０側と梁３０側とに近接して設けられている。また、図３に示すように、拘束筋６０で拘束された複数本（本実施形態では６本）の接続鉄筋５０の群を接続鉄筋群６２とする。また、これら接続鉄筋群６２は、Ｙ方向から見た場合の接続界面３７に矩形状（矩形の角部）に四つ配置されている。
【００２８】
また、図３に示すように本実施形態では、接続鉄筋群６２それぞれにおいて、複数本（本実施形態では６本）の接続鉄筋５０は、Ｙ方向から見た場合に矩形状に配置されている。しかし、接続鉄筋５０は、この配置に限定されるものではない。複数の接続鉄筋５０が、例えば、円形状に配置されていてもよい。
【００２９】
（作用及び効果）
つぎに本実施形態の作用及び効果について説明する。
【００３０】
両端部に機械式定着部材５２が設けられた接続鉄筋５０のダウエル効果によって、梁３０の接続界面３７に作用するせん断力に抵抗する。また、複数の接続鉄筋５０が拘束筋６０でせん断方向の移動を拘束されることで、接続鉄筋５０のダウエル効果によるせん断伝達が効果的に行われると共に偶力が発生し、梁曲げモーメントに抵抗する。よって、柱２０と梁３０との接続強度が向上する。すなわち、柱２０と梁３０との接続強度が確実に確保される。
【００３１】
また、例えば、図３に矢印Ｋ１で示すように反時計回りに回転する梁曲げモーメントが梁３０に作用した場合、接続鉄筋群６２の接続鉄筋５０には、せん断方向に力Ｋ２及び力Ｋ３が偶力として作用するが、接続鉄筋５０は拘束筋６０によって移動が拘束される。このように、接続界面３７に矩形状に四箇所に、拘束筋６０で接続鉄筋５０を拘束した接続鉄筋群６２が配置されることで、偶力による梁曲げモーメントに対する抵抗力が向上する。したがって、柱２０と梁３０との接続強度が更に向上する。
【００３２】
［変形例］
つぎに、本実施形態の変形例について説明する。
【００３３】
（第一変形例）
図４（Ａ）及び図４（Ｃ）に示すように、柱２０の外周面２２の側面２２Ａと梁３０の外周面３２の上面３２Ｂ及び下面３２ＤにＬ字状の接合部材７０が接合されている。また図４（Ａ）及び図４（Ｂ）に示すように、柱２０の外周面２２の側面２２Ｂ及び側面２２Ｄと梁３０の外周面３２の側面３２ＡとにＬ字状の接合部材７０が接合されている。
【００３４】
このように柱２０の外周面２２と梁３０の外周面３２とに接合部材７０が接合されることで、梁３０の回転（梁曲げモーメント（図３参照））に対して接合部材７０が抵抗するので、回転剛性が向上する。よって、柱２０と梁３０との接続強度が更に向上する。
【００３５】
なお、本変形例では、接合部材７０は合計四箇所に設けられていたが、これに限定されない。いずれか一箇所以上、接合部材７０が設けられていれば、回転剛性が向上する。
【００３６】
（第二変形例）
上記実施形態では、図１及び図２に示すように、柱２０の側面２２Ａと、梁３０の側面３２Ａと、が接続されていたが、これに限定されるものではない。別の観点から説明すると、柱２０の柱主筋４０は梁３０内には配筋されておらず、梁３０の梁主筋４４は柱２０には配筋されていない構成であったが、これに限定されるものではない。
【００３７】
図５に示す第二変形例のように、梁３０の側面３２Ａが、柱２０内に位置する構成、言い換えると、梁断面と柱断面とが部分的に接合した構成であってもよい。別の観点から説明すると、柱２０の柱主筋４０が梁３０内に配筋されていてもよいし、梁３０の梁主筋４４が柱２０内に配筋されていてもよい。
【００３８】
また、梁３０の側面３２Ａにおける柱２０内の部分が接続界面３７である。別の言い方をすると、正面視（Ｙ方向から見た場合）において、梁３０の側面３２Ａにおける柱２０の側面２２Ａと重なった部分が接続界面３７である。
【００３９】
なお、図５の第二変形例では、柱２０の柱主筋４０が梁３０内には配筋され、且つ梁３０の梁主筋４４が柱２０内は配筋されている例を示しているが、いずれか一方のみであってもよい。
【００４０】
要は、梁３０の外周面３２を構成するＹ方向の一方側の側面３２Ａが、柱２０の外周面２２を構成するＹ方向の一方側の側面２２Ｃよりも外側（Ｙ方向の他方側）に配置されていればよい。或いは、柱２０の外周面２２を構成するＹ方向の一方側の側面２２Ｃが梁３０の外周面３２を構成するＹ方向の一方側の側面３２ＡよりもＹ方向の一方側に突出して配置されていればよい。
【００４１】
また、上記実施形態では、図３に示すように、複数（上記実施形態では６本毎）に周囲を拘束筋６０で拘束されていたが、これに限定されない。図５に示す第二変形例のように、全接続鉄筋５０を、拘束筋６０で拘束した構成であってもよい。
【００４２】
（第三変形例）
図１３及び図１４に示すように、梁３０は、第一梁３１と第二梁３３とで構成されている。第一梁３１の端面３７と第二梁３３の端面３９とが対向して配置され、それぞれ凹部３７Ａ，３９Ａが形成されている。
【００４３】
図１３に示すように、これら凹部３７Ａ，３９Ａを含む第一梁３１の端面３７と第二梁３３の端面３８との間にグラウト材１７２が充填されている。また、柱２０の側面２２Ａと梁３０（第一梁３１及び第二梁３３）の側面３２Ａとの間にもグラウト材１７２が充填されている。
【００４４】
図１４に示すように、図の右側半分の接続鉄筋５０（接続鉄筋群６２（図３参照））が、第一梁３１に埋設され、図の左側半分の接続鉄筋５０（接続鉄筋群６２（図３参照））が、第二梁３３に埋設されている。
【００４５】
本変形例では、第一梁３１の端面３７と第二梁３３の端面３９とに、それぞれ凹部３７Ａ，３９Ａが形成され、グラウト材１７２が充填されている。よって、第一梁３１の端面３７と第二梁３３の端面３９との間で、せん断力が効果的に伝達される。
【００４６】
＜第二実施形態＞
つぎに、本発明の第二実施形態に係る柱梁の接続構造が適用されて柱と梁とが接続された柱梁架構について説明する。なお、第一実施形態と同一の部材には同一の符号付し、重複する説明は省略又は簡単に説明する。
【００４７】
（構造）
図６に示すように、本実施形態の柱１２０及び梁１３０はプレキャストコンクリート製とされている。
【００４８】
柱１２０には、接続鉄筋１５０（図６（Ｂ））が挿通する複数の挿通孔１８０が形成されている。挿通孔１８０は、柱１２０の側面１２２Ａに開口し、開口部には凹部１８２が形成されている。同様に梁１３０には、接続鉄筋１５０（図６（Ｂ）参照）が挿通する複数の挿通孔１９０が形成されている。挿通孔１９０は側面１３２Ａと側面１３２Ｃに開口した貫通孔となっている。また、挿通孔１９０の側面１３２Ｃの開口部には凹部１９２が形成されている。
【００４９】
接続鉄筋１５０は、第一螺旋鉄筋１５１と第二螺旋鉄筋１５３とを有しており、これら第一螺旋鉄筋１５１及び第二螺旋鉄筋１５３の端部同士が、カプラー１５５で継ながれて一体化されている。また、接続鉄筋１５０の両端部には、機械式定着部材５２と支圧部材１５２とが締結されている。
【００５０】
柱１２０の側面１２２Ａの凹部１８２にカプラー１５５が収まり、梁１３０の側面１３２Ｃの凹部１９２に支圧部材１５２が収まる。また、柱側の機械式定着部材５２は、柱１２０内に埋設されている。なお、本実施形態においては、機械式定着部材５２、支圧部材１５２、及びカプラー１５５は、設けられる位置が異なるだけで、実質的には同じ構造の部材である。
【００５１】
また、柱１２０の側面１２２Ａと梁１３０の側面１３２Ａとに間には、グラウト材１７２が充填されている。よって、接続鉄筋１５０は鋼板１７０によって、せん断方向の移動が拘束されている。なお、グラウト材１７２は、凹部１８２にも充填される。
【００５２】
なお、正面視（Ｙ方向から見て場合）において、梁１３０の側面１３２Ａにおける柱１２０の側面１２２Ａと重なった部分が接続界面１３７である。
【００５３】
また、図１１（Ａ）に示すように、柱１２０の側面１２２Ａの凹部１８２に収められたカプラー１５５の先端部１５５Ａが、凹部１８２から突出した構成であってもよい。
【００５４】
或いは、図１１（Ｂ）に示すように、柱１２０の側面１２２Ａの凹部１８２に収められたカプラー１５５は、円盤５４側が梁１３０側に向いた配置であってもよい。
【００５５】
（作用及び効果）
つぎに本実施形態の作用及び効果について説明する。
【００５６】
第一実施形態と同様に、両端部に機械式定着部材５２と支圧部材１５２とが設けられた接続鉄筋１５０によって、柱１２０と梁１３０との接続強度が向上する。また、各接続鉄筋１５０は、グラウト材１７２で拘束されることで効果的に発生する偶力によって、梁曲げモーメントに対する抵抗力が向上する。したがって、柱１２０と梁１３０との接続強度が更に向上する。
【００５７】
また、プレキャストコンクリート製の柱１２０とプレキャスト製の梁１３０との間にグラウト材１７２を充填することで、複数の接続鉄筋１５０のせん断方向の移動が拘束され、且つ、梁１３０の接続界面１３７を通るように柱１２０と梁１３０とに跨って接続鉄筋１５０を容易に設けることができる。
【００５８】
なお、本実施形態では、接続鉄筋１５０は、第一螺旋鉄筋１５１と第二螺旋鉄筋１５３とがカプラー１５５で継ながれて一体化された構造であったが、これに限定されない。例えば、鉄筋の両端に転造ねじを設けた構成、摩擦圧着でねじを設けた構成、或いはＥＧジョイント等で、二つの鉄筋を接続して一体化してもよい。或いは、一本の接続鉄筋であってもよい。
【００５９】
［変形例］
つぎに、本実施形態の変形例について説明する。
【００６０】
（第一変形例）
第一変形例では、図１０に示すように、柱１２０の側面１２２Ａと梁１３０の側面１３２Ａとに間には、鋼板１７０が挟まれている。鋼板１７０には接続鉄筋１５０が挿通する貫通孔１７２が複数形成されている。よって、接続鉄筋１５０は鋼板１７０によって、せん断方向の移動が拘束されている。
【００６１】
このように、プレキャストコンクリート製の柱１２０とプレキャスト製の梁１３０との間に鋼板１７０を挟んで接続鉄筋１５０を挿入することで、複数の接続鉄筋１５０のせん断方向の移動が拘束され、且つ、梁１３０の接続界面１３７を通るように柱１２０と梁１３０とに跨って接続鉄筋１５０を容易に設けることができる。
【００６２】
（第二変形例）
第二変形例では、図１２（Ａ）に示すように、柱１２０には、端部に機械式定着部材５２が設けられた螺旋鉄筋２０２が埋設されている。また、梁１３０には、螺旋鉄筋２０２が接続されるスリーブ継手２００が埋設されている。
【００６３】
図１２（Ｂ）に示すように、柱１２０から突出する螺旋鉄筋２０２を梁１３０のスリーブ継手２００に挿通し、グラウト材１７２を充填して接続する。また、柱１２０側面１２２Ａと梁１３０の側面１３２Ａとの間には、グラウト材１７２が充填されている。
【００６４】
＜第三実施形態＞
つぎに、本発明の第三実施形態に係る柱梁の接続構造が適用されて柱と梁とが接続された柱梁架構について説明する。なお、第一実施形態及び第二実施形態と同一の部材には同一の符号付し、重複する説明は省略又は簡単に説明する。
【００６５】
（構造）
図７（Ａ）に示すように、本実施形態の柱１２０はプレキャストコンクリート製とされている。なお、柱１２０は、側面１２２Ａに凹部１８２が形成されていない。また、柱１２０の挿通孔１８０の周囲には、拘束筋６０が二本設けられている。これら以外は、第二実施形態の柱１２０と同様の構成である。
【００６６】
本実施形態の梁２３０は、Ｃ形鋼で構成された鉄骨梁とされている。梁２３０のウェブ２３２には、螺旋鉄筋で構成された接続鉄筋２５０が挿通する複数の挿通孔２３４が形成されている。接続鉄筋２５０の両端部には支圧部材１５２が締結されている。接続鉄筋２５０は梁２３０のウェブ２３２の挿通孔２３４に挿通されているので、せん断方向の移動がウェブ２３２によって拘束されている。
【００６７】
なお、梁２３０のウェブ２３２の側面２３２Ａと柱１２０の側面１２２Ａとが接続され、正面視（Ｙ方向から見て場合）において、側面２３２Ａにおける柱１２０の側面１２２Ａと重なった部分が接続界面２３７である。
【００６８】
（作用及び効果）
つぎに本実施形態の作用効果について説明する。
【００６９】
第一実施形態及び第二実施形態と同様に、両端部に機械式定着部材５２と支圧部材１５２とが設けられた接続鉄筋２５０によって、柱１２０と梁２３０との接続強度が向上する。また、各接続鉄筋２５０は、梁２３０のウェブ２３２と二本の拘束筋６０とで拘束されることで効果的に発生する偶力によって、梁曲げモーメントに対する抵抗力が向上する。したがって、柱１２０と梁２３０との接続強度が更に向上する。
【００７０】
また、梁２３０のウェブ２３２の挿通孔２３４に接続鉄筋２５０を挿入することで、容易に複数の接続鉄筋２５０のせん断方向の移動が拘束される。
【００７１】
なお、本実施形態では、梁２３０は、Ｃ形鋼で構成された鉄骨梁とされていたが、これに限定されない。例えば、図７（Ｂ）に示すように、例えば、ウェブ２６２に挿通孔２６４が形成されたＨ形鋼で構成された梁２６０であってよい。なお、この場合、ウェブ２６２と柱１２０の側面１２２Ａとの間に、モルタルやグラウト等の充填材２６８を充填する。また、ウェブ２６２と柱１２０の側面１２２Ａとの間に、接続鉄筋２５０の移動を拘束するように拘束筋６０を配置し、充填材２６８に埋設する。
【００７２】
また、充填材２６８の側面２６８Ａと柱１２０の側面１２２Ａとが接続され、正面視（Ｙ方向から見て場合）において、側面２６８Ａにおける柱１２０の側面１２２Ａと重なった部分が接続界面２３９である。
【００７３】
＜第四実施形態＞
つぎに、本発明の第四実施形態に係る柱梁の接続構造が適用されて接続された柱梁架構について説明する。なお、第一実施形態〜第三実施形態と同一の部材には同一の符号付し、重複する説明は省略又は簡単に説明する。
【００７４】
（構造）
図８（Ａ）に示すように、本実施形態の柱３２０及び梁１３０はプレキャストコンクリート製とされている。なお、梁１３０は第二実施形態の梁１３０と同様の構成である。
【００７５】
柱３２０には、接続鋼線３５０が挿通する複数の挿通孔３８０が形成されている。挿通孔３８０は、側面視において横向きの略Ｕ字形状とされ、柱３２０の側面３２２Ａに両端が開口している。
【００７６】
そして、柱３２０の側面３２２Ａと梁１３０の市の側面１３２Ａとが当接されると、柱側の挿通孔３８０と梁側の挿通孔１９０とが繋がり、接続鋼線３５０が挿通さる。接続鋼線３５０の両端部には、支圧部材１５２が締結されている。なお、図８（Ｃ）の右側のように柱側の挿通孔３８０が交差した構成であってもよい。
【００７７】
また、図８に示すように、柱３２０の側面３２２Ａと梁１３０の側面１３２Ａとの間には、プレキャストコンクリート面の不陸をなくすグラウト材１７２が充填されている。よって、接続鋼線３５０はグラウト材１７２によって、せん断方向の移動が拘束されている。
【００７８】
（作用及び効果）
つぎに本実施形態の作用及び効果について説明する。
【００７９】
第一実施形態と同様に、両端部に機械式定着部材５２と支圧部材１５２とが設けられた接続鋼線３５０によって、柱３２０と梁１３０との接続強度が向上する。また、各接続鋼線３５０は、グラウト材１７２で拘束されることで効果的に発生する偶力によって、梁曲げモーメントに対する抵抗力が向上する。したがって、柱３２０と梁１３０との接続強度が更に向上する。
【００８０】
なお、柱３２０の側面３２２Ａと梁１３０の側面１３２Ａとに間に鋼板１７０（図１０を参照）を挟み、鋼板１７０によって、接続鋼線３５のせん断方向の移動を拘束してもよい。
【００８１】
＜第五実施形態＞
つぎに、本発明の第五実施形態に係る柱梁の接続構造が適用されて接続された柱梁架構について説明する。なお、第一実施形態〜第四実施形態と同一の部材には同一の符号付し、重複する説明は省略又は簡単に説明する。
【００８２】
（構造）
図９に示すように、本実施形態の柱４２０及び梁４３０はプレキャストコンクリート製とされている。柱４２０には、接続鉄筋２５０が挿通する複数の挿通孔４８０が水平に対して角度αを持って斜めに形成されている。挿通孔４８０は、柱４２０の側面４２２Ａに開口している。
【００８３】
梁４３０は、側面４３２Ａ及び側面４３２Ｃが垂直に対して角度αを持って斜めに配置されており、側面視で略平行四辺形状となっている。また、梁４３０には接続鉄筋２５０が挿通する複数の挿通孔４９０が、水平に対し角度αを持って斜めに形成されている。挿通孔４９０は側面４３２Ａと側面４３２Ｃとに開口した貫通孔となっている。
【００８４】
柱４２０の側面４２２Ａと梁４３０の側面４３２Ａとに間には、台座４２５が設けられている。台座４２５の柱４２０側の側面４２５Ａは垂直であるが、台座４２５の梁４３０側の側面４２５Ｃは垂直に対して角度αを持った傾斜面となっている。台座４２５には、接続鉄筋２５０が挿通する貫通孔４８２が水平に対して角度αを持って斜めに形成されている。また、接続鉄筋２５０は台座４２５によって拘束されている。
【００８５】
なお、本実施形態においては、台座１２５の側面４２５Ａと梁４３０の側面４３２Ａとの間には、グラウト材１７２が充填されている（台座１２５の側面４２５Ａと梁４３０の側面４３２Ａとの間にはグラウト層が設けられている）。
【００８６】
更に、梁４３０の側面４３２Ｃには、太陽電池を並べて相互接続してパネル状にしたソーラーパネル４５０が取り付けられている（固定されている）。
【００８７】
なお、正面視（Ｙ方向から見て場合）において、梁４３０の側面４３２Ａにおける柱４２０の側面４２２Ａと重なった部分が接続界面４３７である。
【００８８】
（作用及び効果）
つぎに本実施形態の作用及び効果について説明する。
【００８９】
第一実施形態と同様に、両端部に機械式定着部材５２と支圧部材１５２とが設けられた接続鉄筋２５０によって、柱４２０と梁４３０との接続強度が向上する。また、各接続鉄筋２５０は、台座４２５で拘束されることで効果的に発生する偶力によって、梁曲げモーメントに対する抵抗力が向上する。したがって、柱４２０と梁４３０との接続強度が更に向上する。
【００９０】
また、梁４３０の側面４２２Ｃは斜めになっているので、ソーラーパネル４５０の受光面４５０Ｃの太陽４６０（図９（Ｂ）参照）に対する角度が直角に近くなり、ソーラーパネル４５０の発電効率が向上する。
【００９１】
＜その他＞
尚、本発明は上記実施形態に限定されない。
【００９２】
例えば、第二実施形態〜第五実施形態においても、第一実施形態と同様に拘束筋６０で接続鉄筋や接続鋼線を拘束する構成であってもよい。また、第一実施形態においても、貫通孔が形成された鋼板を拘束部材としてもよい。更に、拘束筋と鋼板との両方を有する構造であってもよい。
【００９３】
本発明は、梁の外周面を構成するＹ方向の一方側の側面が、柱の外周面を構成するＹ方向の一方側の側面よりも外側（Ｙ方向の他方側）に配置されている柱梁架構全般に適用することができる。或いは、柱の外周面を構成するＹ方向の一方側の側面が梁の外周面を構成するＹ方向の一方側の側面よりもＹ方向の一方側に突出して配置されていている柱梁架構全般に適用することができる。また、接続界面とは、正面視（Ｙ方向から見た場合）において、梁のＹ方向の一方側の側面における柱の側面と重なった部分（接続される部分）を指す。
【００９４】
また、上述の複数の実施形態及び変形例は、適宜、組み合わされて実施可能である。更に、本発明の要旨を逸脱しない範囲において種々なる態様で実施し得ることは言うまでもない
【符号の説明】
【００９５】
１０      架構
２０      柱
３０      梁
３７      接続界面
５０      接続鉄筋（接続部材の一例）
５２      機械式定着部材（支圧部材の一例）
６０      拘束筋（拘束部材の一例）
６２      接続鉄筋群（接続部材群の一例）
１２０      柱
１３０      梁
１３７      接続界面
１５０      接続鉄筋（接続部材の一例）
１５２      支圧部材
１７０      鋼板（拘束部材の一例）
１７２      グラウト材（拘束部材の一例）
１８０      挿通孔（柱側挿通孔）
１９０      挿通孔（梁側挿通孔）
２００      スリーブ継手
２０２      螺旋鉄筋（接続部材の一例）
２０２      スリーブ継手
２３０      梁
２３７      接続界面
２３９      接続界面
２３２      ウェブ（拘束部材の一例）
２３４      挿通孔（梁側挿通孔）
２５０      接続鉄筋（接続部材の一例）
２６０      梁
２６２      ウェブ（拘束部材の一例）
２６４      挿通孔（梁側挿通孔）
３２０      柱
３５０      接続鋼線（接続部材の一例）
３８０      挿通孔（柱側挿通孔）
４２０      柱
４２５      台座（拘束部材の一例）
４３０      梁
４３７      接続界面
４８０      挿通孔（柱側挿通孔）
４９０      挿通孔（梁側挿通孔）
【図１】
2018105123.tif 000003
【図２】
2018105123.tif 000004
【図３】
2018105123.tif 000005
【図４】
2018105123.tif 000006
【図５】
2018105123.tif 000007
【図６】
2018105123.tif 000008
【図７】
2018105123.tif 000009
【図８】
2018105123.tif 000010
【図９】
2018105123.tif 000011
【図１０】
2018105123.tif 000012
【図１１】
2018105123.tif 000013
【図１２】
2018105123.tif 000014
【図１３】
2018105123.tif 000015
【図１４】
2018105123.tif 000016